(57)【要約】【課題】締め作業に要するコストを削減すると共に、精算処理の厳正化を図る。【解決手段】貨幣処理システムは、機内の貨幣の在高データを出力可能な複数の釣銭機２０と、前記複数の釣銭機から前記在高データを受け取って各釣銭機の在高を管理すると共に、前記複数の釣銭機へ対して回収処理指示を通知する管理装置１０と、を備え、前記複数の釣銭機はそれぞれ、前記管理装置から前記回収処理指示が通知されると、回収処理を行う。【選択図】図１
2012063936.tif 000002
【特許請求の範囲】
【請求項１】
機内の貨幣の在高データを出力可能な複数の釣銭機と、
前記複数の釣銭機から前記在高データを受け取って各釣銭機の在高を管理すると共に、前記複数の釣銭機へ対して回収処理指示を通知する管理装置と、
を備え、
前記複数の釣銭機はそれぞれ、前記管理装置から前記回収処理指示が通知されると、回収処理を行うことを特徴とする貨幣処理システム。
【請求項２】
前記複数の釣銭機の少なくとも１つは、貨幣を金種別に収納する収納庫と、当該釣銭機から貨幣を回収するカセットと、を備え、前記回収処理指示が通知されると、前記収納庫に収納されている貨幣を前記カセットへ移動させることを特徴とする請求項１に記載の貨幣処理システム。
【請求項３】
前記釣銭機は、前記カセットが装着されたときにロックすることで当該カセットの持ち出しを不能にすることができ、前記回収処理指示を条件の１つとして、ロックを解除して当該カセットを持ち出し可能とすることを特徴とする請求項２に記載の貨幣処理システム。
【請求項４】
前記複数の釣銭機の少なくとも１つは、前記回収処理の開始指示を受け付ける受付部を備え、前記管理装置から前記回収処理指示が通知された後に、前記受付部を介して前記開始指示を受け付けた場合に、前記回収処理を行うことを特徴とする請求項１乃至３のいずれかに記載の貨幣処理システム。
【請求項５】
前記管理装置は、前記釣銭機の収納庫に収納されている貨幣を全て回収する全回収、又は前記釣銭機に予め設定されている金種別枚数の貨幣を前記収納庫に残す残置回収、又は回収貨幣の金種別枚数若しくは前記収納庫に残す貨幣の金種別枚数を指定する指定回収を前記回収処理指示として前記複数の釣銭機に通知することを特徴とする請求項１乃至３のいずれかに記載の貨幣処理システム。
【請求項６】
前記釣銭機から回収した貨幣が入金され、計数を行う入金機をさらに備え、
前記管理装置は、当該釣銭機に指定した回収貨幣の金種別枚数と、前記入金機の計数結果とを照合することを特徴とする請求項５に記載の貨幣処理システム。
【請求項７】
前記釣銭機から回収した貨幣が入金され、計数を行う入金機をさらに備え、
当該釣銭機は、前記回収処理した貨幣の金種別枚数データを前記管理装置へ出力し、
前記管理装置は、当該釣銭機から受け取った回収貨幣の金種別枚数データと、前記入金機の計数結果とを照合することを特徴とする請求項１乃至５のいずれかに記載の貨幣処理システム。
【請求項８】
前記釣銭機に補充する貨幣を出金すると共に、出金額を前記管理装置へ出力する出金機をさらに備え、
前記釣銭機は、貨幣が補充されると、補充額を計数して前記管理装置へ出力し、
前記管理装置は、前記出金額と前記補充額とを照合することを特徴とする請求項１乃至７のいずれかに記載の貨幣処理システム。
【請求項９】
貨幣の受け入れ、計数、及び収納を含む入金処理を行う入金機であって、
複数の釣銭機から機内の在高データを受け取って、各釣銭機の在高を管理する管理部と、
前記複数の釣銭機に対して、回収処理の実行を指示する指示部と、
を備えることを特徴とする入金機。
【請求項１０】
前記指示部が指示する前記回収処理は、前記釣銭機の収納庫に収納されている貨幣を全て回収する全回収、又は前記釣銭機に予め設定されている金種別枚数の貨幣を前記収納庫に残す残置回収、又は回収貨幣の金種別枚数若しくは前記収納庫に残す貨幣の金種別枚数を指定する指定回収であることを特徴とする請求項９に記載の入金機。
【請求項１１】
前記管理部は、前記釣銭機から回収した貨幣について前記入金処理を行った時の計数結果と、前記指示部が前記釣銭機に指定した回収貨幣の金種別枚数とを照合することを特徴とする請求項１０に記載の入金機。
【請求項１２】
前記管理部は、前記釣銭機から回収貨幣の金種別枚数の情報を受け取り、この金種別枚数の情報と、当該釣銭機から回収した貨幣について前記入金処理を行った時の計数結果とを照合することを特徴とする請求項９又は１０に記載の入金機。
【請求項１３】
複数の釣銭機が機内の貨幣の在高データを出力する工程と、
管理装置が前記在高データを受け取って、各釣銭機の在高を管理する工程と、
前記管理装置が前記複数の釣銭機に対して回収処理指示を通知する工程と、
前記複数の釣銭機が、前記回収処理指示に基づいて回収処理を行う工程と、
を備える貨幣処理方法。
【請求項１４】
前記管理装置は、前記釣銭機の収納庫に収納されている貨幣を全て回収する全回収、又は前記釣銭機に予め設定されている金種別枚数の貨幣を前記収納庫に残す残置回収、又は回収貨幣の金種別枚数若しくは前記収納庫に残す貨幣の金種別枚数を指定する指定回収を前記回収処理指示として前記複数の釣銭機に通知することを特徴とする請求項１３に記載の貨幣処理方法。
【請求項１５】
入金機が、前記釣銭機から回収した貨幣の入金、計数、及び収納を行う工程と、
前記管理装置が、当該釣銭機に指定した回収貨幣の金種別枚数と、前記入金機の計数結果とを照合する工程と、
をさらに備えることを特徴とする請求項１４に記載の貨幣処理方法。
【請求項１６】
前記釣銭機が、前記回収処理した貨幣の金種別枚数データを前記管理装置へ出力する工程と、
入金機が、当該釣銭機から回収した貨幣の入金、計数、及び収納を行う工程と、
前記管理装置が、当該釣銭機から受け取った回収貨幣の金種別枚数データと、前記入金機の計数結果とを照合する工程と、
をさらに備えることを特徴とする請求項１３又は１４に記載の貨幣処理方法。
【発明の詳細な説明】
【技術分野】
【０００１】
本発明は、複数の釣銭機を一括管理することができる貨幣処理システム、入金機、及び貨幣処理方法に関する。
【背景技術】
【０００２】
スーパーや量販店等の小売店舗には、複数のＰＯＳレジスタと、各ＰＯＳレジスタに接続された釣銭機が設置されている。釣銭機は、顧客の支払金を入金したり、釣銭を出金したりする。店舗の後方（出納室）には、レジ担当の店員の操作によってレジ毎に必要な現金を払い出したり、店員がレジスタから回収してきた現金を計数して入金処理したりする現金処理装置（入金機）が設置されている。
【０００３】
また、釣銭機と、釣銭機に補充する釣銭用現金の出金及び釣銭機からの回収現金の入金を行う現金処理装置と、各釣銭機の釣銭用現金の金種別必要枚数を記憶した現金データ管理装置と、を備え、現金データ管理装置が釣銭機から在高データを受け取り、釣銭機に補充すべき現金の枚数を現金処理装置に通知し、現金処理装置が補充現金を出金する現金管理システムが提案されている（例えば特許文献１参照）。
【０００４】
しかし、上述したような従来の現金管理システムでは、営業終了後の締め作業（現金回収・精算作業）において、各レジの担当の店員が、釣銭機内の現金を回収し、現金処理装置に入金していた。そのため、締め作業に要する人件費等のコストが高くなるという問題があった。また、締め作業に多くの人員が関わることは、精算処理の厳正化の妨げになるという問題があった。
【先行技術文献】
【特許文献】
【０００５】
【特許文献１】特開２００７−２４１５３１号公報
【発明の概要】
【発明が解決しようとする課題】
【０００６】
本発明は、締め作業に要するコストを削減すると共に、精算処理の厳正化を図ることができる貨幣処理システム、入金機、及び貨幣処理方法を提供することを目的とする。
【課題を解決するための手段】
【０００７】
本発明の一態様による貨幣処理システムは、機内の貨幣の在高データを出力可能な複数の釣銭機と、前記複数の釣銭機から前記在高データを受け取って各釣銭機の在高を管理すると共に、前記複数の釣銭機へ対して回収処理指示を通知する管理装置と、を備え、前記複数の釣銭機はそれぞれ、前記管理装置から前記回収処理指示が通知されると、回収処理を行う。
【０００８】
本発明の一態様による貨幣処理システムにおいては、前記複数の釣銭機の少なくとも１つは、貨幣を金種別に収納する収納庫と、当該釣銭機から貨幣を回収するカセットと、を備え、前記回収処理指示が通知されると、前記収納庫に収納されている貨幣を前記カセットへ移動させることが好ましい。
【０００９】
本発明の一態様による貨幣処理システムにおいては、前記釣銭機は、前記カセットが装着されたときにロックすることで当該カセットの持ち出しを不能にすることができ、前記回収処理指示を条件の１つとして、ロックを解除して当該カセットを持ち出し可能とすることが好ましい。
【００１０】
本発明の一態様による貨幣処理システムにおいては、前記複数の釣銭機の少なくとも１つは、前記回収処理の開始指示を受け付ける受付部を備え、前記管理装置から前記回収処理指示が通知された後に、前記受付部を介して前記開始指示を受け付けた場合に、前記回収処理を行うことが好ましい。
【００１１】
本発明の一態様による貨幣処理システムにおいては、前記管理装置は、前記釣銭機の収納庫に収納されている貨幣を全て回収する全回収、又は前記釣銭機に予め設定されている金種別枚数の貨幣を前記収納庫に残す残置回収、又は回収貨幣の金種別枚数若しくは前記収納庫に残す貨幣の金種別枚数を指定する指定回収を前記回収処理指示として前記複数の釣銭機に通知することが好ましい。
【００１２】
本発明の一態様による貨幣処理システムにおいては、前記釣銭機から回収した貨幣が入金され、計数を行う入金機をさらに備え、前記管理装置は、当該釣銭機に指定した回収貨幣の金種別枚数と、前記入金機の計数結果とを照合することが好ましい。
【００１３】
本発明の一態様による貨幣処理システムにおいては、前記釣銭機から回収した貨幣が入金され、計数を行う入金機をさらに備え、当該釣銭機は、前記回収処理した貨幣の金種別枚数データを前記管理装置へ出力し、前記管理装置は、当該釣銭機から受け取った回収貨幣の金種別枚数データと、前記入金機の計数結果とを照合することが好ましい。
【００１４】
本発明の一態様による貨幣処理システムにおいては、前記釣銭機に補充する貨幣を出金すると共に、出金額を前記管理装置へ出力する出金機をさらに備え、前記釣銭機は、貨幣が補充されると、補充額を計数して前記管理装置へ出力し、前記管理装置は、前記出金額と前記補充額とを照合することが好ましい。
【００１５】
本発明の一態様による入金機は、貨幣の受け入れ、計数、及び収納を含む入金処理を行う入金機であって、複数の釣銭機から機内の在高データを受け取って、各釣銭機の在高を管理する管理部と、前記複数の釣銭機に対して、回収処理の実行を指示する指示部と、を備えるものである。
【００１６】
本発明の一態様による入金機においては、前記指示部が指示する前記回収処理は、前記釣銭機の収納庫に収納されている貨幣を全て回収する全回収、又は前記釣銭機に予め設定されている金種別枚数の貨幣を前記収納庫に残す残置回収、又は回収貨幣の金種別枚数若しくは前記収納庫に残す貨幣の金種別枚数を指定する指定回収であることが好ましい。
本発明の一態様による入金機においては、前記管理部は、前記釣銭機から回収した貨幣について前記入金処理を行った時の計数結果と、前記指示部が前記釣銭機に指定した回収貨幣の金種別枚数とを照合することが好ましい。
【００１７】
本発明の一態様による入金機においては、前記管理部は、前記釣銭機から回収貨幣の金種別枚数の情報を受け取り、この金種別枚数の情報と、当該釣銭機から回収した貨幣について前記入金処理を行った時の計数結果とを照合することが好ましい。
【００１８】
本発明の一態様による貨幣処理方法は、複数の釣銭機が機内の貨幣の在高データを出力する工程と、管理装置が前記在高データを受け取って、各釣銭機の在高を管理する工程と、前記管理装置が前記複数の釣銭機に対して回収処理指示を通知する工程と、前記複数の釣銭機が、前記回収処理指示に基づいて回収処理を行う工程と、を備えるものである。
【００１９】
本発明の一態様による貨幣処理方法においては、前記管理装置は、前記釣銭機の収納庫に収納されている貨幣を全て回収する全回収、又は前記釣銭機に予め設定されている金種別枚数の貨幣を前記収納庫に残す残置回収、又は回収貨幣の金種別枚数若しくは前記収納庫に残す貨幣の金種別枚数を指定する指定回収を前記回収処理指示として前記複数の釣銭機に通知することが好ましい。
【００２０】
本発明の一態様による貨幣処理方法においては、入金機が、前記釣銭機から回収した貨幣の入金、計数、及び収納を行う工程と、前記管理装置が、当該釣銭機に指定した回収貨幣の金種別枚数と、前記入金機の計数結果とを照合する工程と、をさらに備えることが好ましい。
【００２１】
本発明の一態様による貨幣処理方法においては、前記釣銭機が、前記回収処理した貨幣の金種別枚数データを前記管理装置へ出力する工程と、入金機が、当該釣銭機から回収した貨幣の入金、計数、及び収納を行う工程と、前記管理装置が、当該釣銭機から受け取った回収貨幣の金種別枚数データと、前記入金機の計数結果とを照合する工程と、をさらに備えることが好ましい。
【発明の効果】
【００２２】
本発明によれば、締め作業に要するコストを削減すると共に、精算処理の厳正化を図ることができる。
【図面の簡単な説明】
【００２３】
【図１】本発明の実施形態に係る貨幣処理システムの概略構成図である。
【図２】同実施形態に係る釣銭機の外観斜視図である。
【図３】同実施形態に係る釣銭機のブロック構成図である。
【図４】同実施形態に係る管理装置が管理する釣銭機の在高の一例を示す図である。
【図５】同実施形態に係る貨幣回収処理を説明するフローチャートである。
【図６】同実施形態に係る貨幣補充処理を説明するフローチャートである。
【発明を実施するための形態】
【００２４】
図１に本発明の実施形態に係る貨幣処理システムの概略構成を示す。貨幣処理システムは、機内の貨幣の在高データを出力可能な複数の釣銭機２０と、複数の釣銭機２０から在高データを受け取って各釣銭機２０の在高を管理すると共に、複数の釣銭機２０に対して回収処理指示を通知する管理装置１０と、備える。
【００２５】
各釣銭機２０にはＰＯＳレジスタ７０が接続されている。ＰＯＳレジスタ７０は、顧客の商品購入等に伴う取引金額を特定する。釣銭機２０は、顧客からの預かり金額から取引金額を引いた釣銭額の釣銭を出金する。ＰＯＳレジスタ７０は、顧客が購入した商品の情報等をホストコンピュータ（図示せず）へ送信する。
【００２６】
各釣銭機２０は、管理装置１０から回収処理指示が通知されると、回収処理を行い、機内の貨幣を機外から回収できるようにする。回収処理の詳細については後述する。
【００２７】
図１に示すように、貨幣処理システムは、管理装置１０に接続された入金機１１及び出金機１２を備える。管理装置１０と、入金機１１及び出金機１２とは、例えばＬＡＮで接続される。
【００２８】
入金機１１は、釣銭機２０から回収した貨幣が投入され、受け入れた貨幣の識別、計数、収納を含む入金処理を行う。入金機１１は貨幣の計数結果を管理装置１０へ出力する。貨幣の識別、計数、収納を行う入金機は公知であるため、その構成の詳細な説明は省略する。
【００２９】
出金機１２は、釣銭機２０に補充する貨幣を出金し、出金額（補充額）を管理装置１０へ出力する。出金機１２は公知のものであり、その構成の詳細な説明は省略する。
【００３０】
管理装置１０は、各釣銭機２０の在高を管理する管理部１０ａと、複数の釣銭機２０に対して回収処理指示を通知する指示部１０ｂとを有する。指示部１０ｂは、複数の釣銭機２０に対して、回収処理指示を、同時に、又は、順に連続して通知する。指示部１０ｂは、釣銭機２０に対して、全回収、残置回収、指定回収の３種類のうちのいずれかの回収処理を行うように指示する。
【００３１】
ここで、全回収は、釣銭機２０の機内にある貨幣を全て回収する処理をいう。また、残置回収は、釣銭機２０に予め設定されている金種別枚数の貨幣を残し、その他の貨幣を回収する処理をいう。また、指定回収は、釣銭機２０から回収する貨幣の金種別枚数又は釣銭機２０に残す貨幣の金種別枚数を管理装置１０が指定し、釣銭機２０がこの指定に基づいて貨幣を回収する処理をいう。
【００３２】
管理部１０ａは、回収処理により釣銭機２０から回収されるべき貨幣のデータと、実際に釣銭機２０から回収されて入金機１１で入金処理を行った際の計数結果とを照合する。
【００３３】
次に、図２、図３を用いて、釣銭機２０の構成を説明する。図２、図３に示すように、釣銭機２０は、紙幣釣銭機３０及び硬貨釣銭機５０を備える。
【００３４】
まず、紙幣釣銭機３０の構成について説明する。紙幣釣銭機３０は、紙幣が挿入される入金口３２と、入金口３２によって受け入れられた紙幣を機内に取り込む繰込ユニット３４と、繰込ユニット３４に連結され、当該繰込ユニット３４によって繰り込まれた紙幣を搬送する接続搬送部３６ｂと、接続搬送部３６ｂに連結され、当該接続搬送部３６ｂから搬送された紙幣を搬送する周回搬送部３６ａとを有する。なお、この周回搬送部３６ａは、繰込ユニット３４によって繰り込まれた紙幣を搬送する場合には反時計回りの方向に紙幣を搬送し、後述する収納庫４０から繰り出された紙幣を搬送する場合には時計回りの方向に紙幣を搬送する。
【００３５】
また、図３に示すように、周回搬送部３６ａには、紙幣の金種等を識別する識別部３８が設けられており、周回搬送部３６ａで搬送される紙幣の金種等が識別される。また、周回搬送部３６ａには、接続搬送部３６ｂを介して収納庫４０が連結されている。収納庫４０は複数（例えば３つ）設けられており、各収納庫４０はそれぞれ対応する接続搬送部３６ｂを介して周回搬送部３６ａに連結される。
【００３６】
各収納庫４０には、識別部３８による識別結果に基づいて、金種毎に紙幣が収納される。また、各収納庫４０には繰出機構（図示せず）が設けられており、各収納庫４０に収納された紙幣を繰出機構により接続搬送部３６ｂに繰り出すことができる。
【００３７】
また、周回搬送部３６ａには、各収納庫４０内の紙幣を回収する場合に、収納庫４０から繰り出された紙幣を収納する回収カセット４２が、接続搬送部３６ｂを介して連結されている。この回収カセット４２は、紙幣釣銭機３０本体に装着された際にロックされると、持ち出し不能となる。ロックを解除することで、回収カセット４２は、紙幣釣銭機３０本体の前面から手前側に引き出し可能となり、持ち出し可能となる。
【００３８】
また、周回搬送部３６ａには、出金時に各収納庫４０から繰り出された紙幣が放出される放出ユニット４４が、接続搬送部３６ｂを介して連結されている。放出ユニット４４には、紙幣を機外へ放出する出金口４６が設けられている。また、放出ユニット４４の隣には、出金時に異常があると判断された紙幣が搬送されて集積される出金リジェクト部４８が設けられている。
【００３９】
また、紙幣釣銭機３０には紙幣制御部３０ａが設けられている。紙幣制御部３０ａは管理装置１０及びＰＯＳレジスタ７０に通信接続されている。また、紙幣制御部３０ａは、紙幣釣銭機３０の各構成要素に接続されており、各構成要素の制御を行う。紙幣制御部３０ａは、識別部３８による紙幣の金種等の識別結果が通知される。紙幣制御部３０ａは、識別部３８から通知された識別結果に基づいて、入金された紙幣の合計金額を算出する。
【００４０】
また、図２に示すように、紙幣釣銭機３０には、操作者からの各種指示を受け付ける指示受付部４９が設けられている。
【００４１】
次に、硬貨釣銭機５０の構成について図２及び図３を用いて説明する。硬貨釣銭機５０は硬貨を受け入れる入金口５２と、入金口５２によって受け入れられた硬貨を機内に繰り入れる繰入機構（図示せず）と、繰入機構によって繰り入れられた硬貨を搬送する硬貨搬送部５４と、硬貨搬送部５４に設けられ、硬貨の金種等を識別する識別部５６とを有する。
【００４２】
識別部５６の下流側には、金種別に硬貨を収納する複数（例えば６つ）の収納庫５８が設けられている。
【００４３】
各収納庫５８には、当該収納庫５８から出金すべき硬貨を繰り出す繰出機構（図示せず）が連結されており、この繰出機構には、当該操出機構によって繰り出された硬貨を受け入れる出金口６０が連結されている。収納庫５８の硬貨を釣銭硬貨として払い出す場合や、収納庫５８の硬貨を回収するため機外に払い出す回収処理を行う場合に、この繰出機構によって硬貨を出金口６０に払い出す。
【００４４】
また、硬貨搬送部５４の識別部５６の下流側であって、各収納庫５８と出金口６０の上流側に分岐部６２が設けられている。分岐部６２は、硬貨搬送部５４で搬送された硬貨を収納庫５８に搬送するか、又は出金口６０に搬送するかを分けるようになっている。この分岐部６２では、入金時に識別部５６で識別することができなかった硬貨をリジェクト硬貨の返却として出金口６０に戻すようになっている。
【００４５】
また、硬貨釣銭機５０には硬貨制御部５０ａが設けられている。硬貨制御部５０ａは、紙幣釣銭機３０の紙幣制御部３０ａに通信接続されている。硬貨制御部５０ａは、硬貨釣銭機５０の各構成要素に接続されており、各構成要素の制御を行う。識別部５６による硬貨の金種等の識別結果は硬貨制御部５０ａに通知される。また、図２に示すように、硬貨釣銭機５０にも、操作者からの各種指示を受け付ける指示受付部５９が設けられている。
【００４６】
硬貨制御部５０ａは、識別部５６から通知された識別結果に基づいて、入金された硬貨の合計金額の情報を紙幣制御部３０ａへ送信する。紙幣制御部３０ａは、入金された紙幣の合計金額と、入金された硬貨の合計金額とを加算して、入金額を算出する。釣銭機２０（紙幣釣銭機３０、硬貨釣銭機５０）へ貨幣を補充する際も、入金時と同様の処理により補充額が算出される。
【００４７】
硬貨制御部５０ａは硬貨釣銭機５０内（収納庫７０内）の硬貨の在高データを管理しており、この在高データを紙幣制御部３０ａへ送信する。紙幣制御部３０ａは、紙幣釣銭機３０内（収納庫４０内）の紙幣の在高データを管理している。紙幣制御部３０ａは、紙幣の在高データと、硬貨制御部５０ａから受け取った硬貨の在高データとを合わせて、釣銭機２０内の在高データを管理装置１０へ随時送信する。これにより、管理装置１０は、図４に示すように、各釣銭機２０の在高を（リアルタイムに）管理することができる。
【００４８】
図４を参照して、管理装置１０が管理するデータについて説明する。「開始在高」は、営業開始前に釣銭機２０に予め補充しておいた（または、前日から機内に残置されていた）釣銭準備金の額である。「補充」は、営業時間中に釣銭準備金が不足し、新たに補充した貨幣の額である。「途中回収」は、営業時間中に収納貨幣が増加したため機外に払い出して回収した貨幣の額である。「回収」は、営業終了後の締め作業において、釣銭機２０から回収した貨幣の額である。「残置金額」は、営業終了後の締め作業で回収せずに、翌日の営業の釣銭準備金として釣銭機２０内に残置させた貨幣の額である。そして、これらの額と「現金売上」として釣銭機２０に入金される貨幣の額が、釣銭機に入金・出金される貨幣の全てであるから、「現金売上」＝「残置金額」＋「途中回収」＋「回収」−「開始在高」−「補充」により算出できる。
【００４９】
また、紙幣制御部３０ａは、補充処理によって釣銭機２０（紙幣釣銭機３０、硬貨釣銭機５０）に補充された貨幣の補充額を、管理装置１０へ出力する。
紙幣制御部３０ａは、ＰＯＳレジスタ７０との間で、取引金額、釣銭額等を受信したり、入金額を送信したりすることができる。
【００５０】
釣銭機２０（紙幣釣銭機３０、硬貨釣銭機５０）が釣銭を支払う際は、紙幣制御部３０ａが、釣銭額の内、紙幣で支払うべき釣銭について、収納庫４０から必要な紙幣を繰り出し、出金口４６から機外へ放出する。また、紙幣制御部３０ａは、釣銭額から紙幣の釣銭額を差し引いた残りの釣銭額について、硬貨制御部５０ａに出金指示を行う。硬貨制御部５０ａは出金指示に基づいて、収納庫５８から必要な硬貨を繰り出し、出金口６０から払い出す。
【００５１】
紙幣制御部３０ａは、管理装置１０から回収処理指示が通知されると、この回収処理指示を硬貨制御部５０ａへ送信する。そして、紙幣制御部３０ａ及び硬貨制御部５０ａは、回収処理指示に基づいて、回収処理を行う。
【００５２】
まず、回収処理として全回収が指示された場合の紙幣釣銭機３０及び硬貨釣銭機５０の動作について説明する。
【００５３】
紙幣釣銭機３０は、収納庫４０に収納されている紙幣をすべて回収カセット４２へ搬送する。さらに、回収カセット４２のロックを解除し、紙幣釣銭機３０本体から持ち出し可能とする。硬貨釣銭機５０は、収納庫５８に収納されている硬貨をすべて出金口６０へ払い出す。
【００５４】
次に、回収処理として残置回収が指示された場合の紙幣釣銭機３０及び硬貨釣銭機５０の動作について説明する。
【００５５】
紙幣釣銭機３０には、機内に残しておく紙幣の金種別枚数が予め設定されている。紙幣釣銭機３０は、この予め設定された金種別枚数の紙幣を収納庫４０に残し、それ以外の紙幣を回収カセット４２へ搬送する。さらに、回収カセット４２のロックを解除し、紙幣釣銭機３０本体から持ち出し可能とする。
【００５６】
紙幣釣銭機３０と同様に、硬貨釣銭機５０にも、機内に残しておく硬貨の金種別枚数が予め設定されている。硬貨釣銭機５０は、この予め設定された金種別枚数の硬貨を収納庫５８に残し、それ以外の硬貨を出金口６０へ払い出す。
【００５７】
続いて、回収処理として指定回収が指示された場合の紙幣釣銭機３０及び硬貨釣銭機５０の動作について説明する。指定回収には、管理装置１０が、釣銭機２０から回収する貨幣の金種別枚数を指定する場合と、釣銭機２０に残す貨幣の金種別枚数を指定する場合とがある。
【００５８】
管理装置１０が、釣銭機２０から回収する貨幣の金種別枚数を指定する場合、紙幣釣銭機３０は、指定された金種別枚数の紙幣を回収カセット４２へ搬送する。さらに、回収カセット４２のロックを解除し、紙幣釣銭機３０本体から持ち出し可能とする。硬貨釣銭機５０は、指定された金種別枚数の硬貨を出金口６０へ払い出す。
【００５９】
管理装置１０が、釣銭機２０に残す貨幣の金種別枚数を指定する場合、紙幣釣銭機３０は、指定された金種別枚数の紙幣を収納庫４０に残し、それ以外の紙幣を回収カセット４２へ搬送する。さらに、回収カセット４２のロックを解除し、紙幣釣銭機３０本体から持ち出し可能とする。また、硬貨釣銭機５０は、指定された金種別枚数の硬貨を収納庫５８に残し、それ以外の硬貨を出金口６０へ払い出す。
【００６０】
なお、管理装置１０は、釣銭機２０の在高を管理しているため、釣銭機２０から回収する貨幣の金種別枚数を指定することは、釣銭機２０に残す貨幣の金種別枚数を指定することにもなる。
【００６１】
このような回収処理により、釣銭機２０（紙幣釣銭機３０、硬貨釣銭機５０）内の貨幣が回収できるようになる。
【００６２】
硬貨制御部５０ａは、回収処理の実行後、回収処理された硬貨、すなわち出金口６０へ払い出した硬貨、の金種別枚数データを紙幣制御部３０ａへ送信する。紙幣制御部３０ａは、回収処理された紙幣、すなわち回収カセット４２へ搬送した紙幣、の金種別枚数データと、硬貨制御部５０ａから受信した金種別枚数データとを合わせて、この釣銭機２０（紙幣釣銭機３０及び硬貨釣銭機５０）から回収された貨幣の金種別枚数データを作成し、管理装置１０へ出力する。
【００６３】
管理装置１０（管理部１０ａ）は、回収前後の釣銭機２０の在高の差から回収される金額を求め、入金機１１から受け取った計数結果と照合することができる。また、管理装置１０は、釣銭機２０から回収する貨幣の金種別枚数を指定する指定回収を指示した場合、指定した貨幣の金種別枚数と、回収貨幣が投入された入金機１１の入金処理による計数結果とを照合し、回収貨幣の過不足を確認することができる。また、管理装置１０は、釣銭機２０が出力した回収貨幣の金種別枚数データと、回収貨幣が投入された入金機１１の入金処理による計数結果とを照合することでも、回収貨幣の過不足を確認することができる。
【００６４】
さらに、管理装置１０は、釣銭機２０が出力した補充額と、出金機１２が出力した出金額とを照合することで、補充処理が確実に行われたか否かを確認することができる。
【００６５】
上述したように、管理装置１０は、複数の釣銭機２０に対して回収処理指示を通知する。複数の釣銭機２０は回収処理指示に基づいて回収処理を行い、各釣銭機２０内の貨幣が回収可能となる。このようにして回収可能となった貨幣は、少数の限られた店員（例えば会計責任者等）が複数の釣銭機２０を順にまわって速やかに回収することができる。
【００６６】
従って、各レジの担当の店員が、担当していたレジの釣銭機２０の貨幣回収を行う必要がなく、貨幣回収を含む締め作業に要するコストを削減することができる。また、貨幣回収に携わる者を少数に限定すると共に、管理装置１０が照合を行うことで、精算処理の厳正化を図ることができる。
【００６７】
このような貨幣処理システムにおける貨幣回収方法を図５に示すフローチャートを用いて説明する。
【００６８】
（ステップＳ１０１）管理装置１０が複数の釣銭機２０に対して回収処理指示を通知する。
【００６９】
（ステップＳ１０２）各釣銭機２０が回収処理を行う。各釣銭機２０は、回収処理の終了タイミングで、自身のＩＤとともに、回収処理として払い出した貨幣の金種別枚数を管理装置１０に送信する。紙幣釣銭機３０は、回収処理として回収カセット４２に払い出した紙幣の金種別枚数を保持しておき、硬貨釣銭機５０から回収硬貨の金種別枚数を受信した時点で、両方の金種別枚数を合わせて管理装置１０に送信するようにしてもよい。また、紙幣釣銭機３０は、回収カセット４２が抜き取られたタイミングで送信するようにしてもよい。また、紙幣釣銭機３０では、回収処理が完了した時点で、回収カセット４２のロックを解除する。
【００７０】
（ステップＳ１０３）各釣銭機２０から貨幣が回収される。この時、各釣銭機２０において回収処理が実行済みであり、回収可能となった貨幣を集めるだけでよいため、少数の限られた店員（例えば会計責任者等）で行うことができる。
【００７１】
（ステップＳ１０４）入金機１１が回収貨幣について識別、計数、収納を含む入金処理を行う。
【００７２】
（ステップＳ１０５）入金機１１が計数結果を管理装置１０へ出力する。
【００７３】
（ステップＳ１０６）管理装置１０が、入金機１１から受け取った計数結果を用いて、回収貨幣の照合を行う。例えば、ステップＳ１０２における回収処理に伴い釣銭機２０が回収貨幣の金種別枚数データを出力していた場合、この金種別枚数データと入金機１１から受け取った計数結果とを照合する。また、管理装置１０は、回収前後の釣銭機２０の在高の差から回収されるべき金額を求め、入金機１１から受け取った計数結果と照合することもできる。
【００７４】
次に、本実施形態に係る貨幣処理システムにおける貨幣補充方法を図６に示すフローチャートを用いて説明する。
【００７５】
（ステップＳ２０１）出金機１２が各釣銭機２０に補充する貨幣を出金する。出金する貨幣の金種別枚数は、予め定めた所定枚数としても良いし、各釣銭機から要求のあった枚数とすることもできる。
【００７６】
（ステップＳ２０２）出金機１２が出金額を管理装置１０へ通知する。
【００７７】
（ステップＳ２０３）各釣銭機２０に貨幣が補充される。
【００７８】
（ステップＳ２０４）各釣銭機２０が補充額を管理装置１０へ通知する。
【００７９】
（ステップＳ２０５）管理装置１０が、ステップＳ２０２で通知された出金額と、ステップＳ２０４で通知された補充額とを照合する。
【００８０】
なお、釣銭機２０の在高を管理している管理装置１０が、各釣銭機２０内の貨幣の不足を検出し、出金機１２に対して補充貨幣の出金を指示するようにしてもよい。この場合、図６におけるステップＳ２０２は省略可能となり、ステップＳ２０５において、管理装置１０は、出金機１２に対して指示した出金額と、ステップＳ２０４で通知された補充額とを照合する。複数の釣銭機の補充貨幣を、出金機１２から一括して出金する場合は、各釣銭機のＩＤと補充貨幣の金種別枚数とを紐付けたデータを表示してもよいし、出金明細として印字出力するようにしてもよい。
【００８１】
このように、本実施形態に係る貨幣処理システムによれば、締め作業に要するコストを削減すると共に、精算処理の厳正化を図ることができる。
【００８２】
上記実施形態において、釣銭機２０は、管理装置１０から回収処理指示が通知された後、さらに操作者から開始指示を受け付けた場合に、回収処理を行うようにしてもよい。これは、店舗の営業時間の間などに釣銭機２０内の貨幣を回収する、いわゆる途中回収を行う場合に好適である。操作者からの開始指示は、例えば、図２に示す指示受付部４９が受け付ける。回収カセット４２を有する釣銭機が途中回収の指示を受けた場合は、釣銭機への入金処理や釣銭出金処理が行われていない空き時間を利用して、回収貨幣を回収カセット４２に事前に払い出しておき、操作者の指示受付部４９からの開始指示により即座に回収カセット４２の回収を行えるようにしてもよい。
【００８３】
上記実施形態では、回収する紙幣を回収カセット４２へ搬送する構成について説明したが、回収カセット４２を設けなくてもよく、回収紙幣を外部と隔離されないオープンスペースへ払い出すようにしてもよい。すなわち、回収カセット４２に代えて、出金口４６と同様の構成の排出口としてもよい。硬貨釣銭機５０の出金口６０もオープンスペースであるが、操作者からの開始指示を受け付けてから回収処理を行うようにした場合は、操作者が釣銭機の前に立ち、回収処理により貨幣が機外に払い出されることを期待して開始指示を入力するのであるから、オープンスペースへ回収貨幣を払い出しても、運用上の問題は無い。
【００８４】
また、硬貨釣銭機５０に回収カセットを設け、紙幣釣銭機３０と同様に、回収する硬貨を回収カセットへ搬送する構成としてもよい。
【００８５】
また、上記実施形態において、紙幣釣銭機３０は、回収カセット４２を用いて紙幣の補充を行えるようにしてもよい。この場合、回収カセット４２には接続搬送部３６ｂへ紙幣を繰り出す繰出機構が設けられ、繰り出された紙幣は、接続搬送部３６ｂ及び周回搬送部３６ａを介して収納庫４０へ搬送、収納される。このようにして、カセットを用いた補充を行うことができる。紙幣制御部３０ａは、この補充処理の際に識別部３８によって計数された補充紙幣の金額（補充額）を管理装置１０へ出力する。
【００８６】
出金機１２が棒金（所定枚数単位で包装された硬貨）を出金し、釣銭機２０が棒金の在高を算出できる棒金ドロアを備えていてもよい。これにより、棒金を用いて貨幣の補充を行うことができる。
【００８７】
上記実施形態において、管理装置１０は入金機１１と一体型になっていてもよい。また、管理装置１０は、出金機１２と一体型になっていてもよい。また、管理装置１０は、入金機１１の機能と出金機１２の機能を有する入出金機と一体型になっていてもよい。
【００８８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００８９】
１０  管理装置
１１  入金機
１２  出金機
２０  釣銭機
３０  紙幣釣銭機
５０  硬貨釣銭機
７０  ＰＯＳレジスタ
【図１】
2012063936.tif 000003
【図２】
2012063936.tif 000004
【図３】
2012063936.tif 000005
【図４】
2012063936.tif 000006
【図５】
2012063936.tif 000007
【図６】
2012063936.tif 000008